(57)【特許請求の範囲】
【請求項１】
開口部を備えてサルを収容可能な格子構成のケージ本体と、
このケージ本体の開口部を開閉するスライド可能な扉部材とを有するサル飼育ケージにおいて、
前記扉部材に上下方向に揺動可能に軸支する支持アームと、
前記ケージ本体に取付け上下方向の閂受け孔を有する係止部材と、
支持アームに対し下向きに突設し、前記閂受け孔に上から差し込んで扉部材を施錠状態に保ち、あるいは、閂受け孔から上に抜き取って扉部材を解錠状態にする上下方向に回動可能な閂部材と、
自重により揺動動作して前記閂部材を施錠状態の下限位置に規制する揺動ストッパと、より施錠機構を構成し、
前記揺動ストッパを上方に揺動し且つ閂部材を解錠状態の上限位置に回動して扉部材を開放したり、揺動ストッパを自重で下垂し閂部材を下限位置に規制して扉部材を閉鎖状態に拘束したりすることを特徴とする施錠機構付きサル飼育ケージ。
【請求項２】
前記扉部材の閉鎖側とは反対側に連結具を横向きに突設し、
この連結具に前記支持アームの基端を軸支して、
扉部材を完全に開放した状態で支持アームの基端を前記施錠機構の外側に位置させることを特徴とする請求項１記載の施錠機構付きサル飼育ケージ。
【発明の詳細な説明】
【技術分野】
【０００１】
本発明は、実験動物用のサルを収容して飼育する施錠機構付きサル飼育ケージ構に関するものである。
【背景技術】
【０００２】
医薬品の効果や安全性を確認する実験動物として、カニクイザル、アカゲザル、リスザル、マーモセット、ヒヒなどのサルが用いられる。これらのサルは、サル飼育ケージに一匹ずつ収容して飼育する。
【０００３】
サル飼育ケージは、内部の通気性や、飼育されるサルの糞尿処理の簡便化等を目的として、図７に示すように、正面、頂面、底面及び側面の全部又は一部を格子状に形成している。
このサル飼育ケージ１００は、その背面に形成されている懸架具１０１によって、壁面等に設けられたバー１０６に懸架され、図８に示すように、複数のサル飼育ケージを並べた状態で使用する。
各サル飼育ケージ１００はカニクイザル、アカゲザル、リスザル、マーモセット、ヒヒなどのサルがそれぞれ収容可能な大きさに形成される。
【０００４】
投薬や検査などの際のサルの入退等は正面の扉１０２により行う。また、サル飼育ケージ１の両側面にもスライド式の扉１０３を形成し、隣り合ったサル飼育ケージ１、１を接近させて対向する側面の両扉１０３、１０３を開放し、繁殖などのためにサル同士が往来可能となるように構成されている。
これらの扉１０２、１０３は、ラッチ１０５や南京錠１０４などによって施錠されており、飼育員が必要に応じて解錠して扉を開閉していた。
【０００５】
しかし、サル飼育ケージ１に収容されたサルの中には、人間の解錠操作を何度も見ているうちに単純な動作を覚えるものがある。動作を覚えたサルは、正面や底面の格子の隙間から腕や手を出し、人間の動作をまねてラッチの閂を動かしているうちに、閂を抜いて解錠してしまうことがあった。また、他にすることがないために、半年程度の長期間にわたって、一日中、南京錠を激しく引っ張るなどしていじり続けて破壊してしまい、扉を開けて脱走してしまうことがあった。
【０００６】
サルが脱走すると、１０人程度の飼育員による半日がかりの捕獲作業が必要となって無駄な時間と無用の労力を要するうえに、脱走したサルは追いかけられたストレスなどのため正常な状態でのデータが取れなくなるという不利益が生じていた。
【０００７】
一方、サルの脱走を防ぐためにラッチや南京錠などの錠前の機構を複雑化しても、長期間にわたってサルが激しくいじり続けることにより破壊されてしまうことがあるし、図８に示したように、通常は多数のサル飼育ケージを並べて使用するため、施解錠の手順を増やして複雑にすると飼育ケージの扉の開閉に時間がかかってしまい、日常業務に支障が生じるおそれがある。
【発明の開示】
【発明が解決しようとする課題】
【０００８】
解決しようとする問題点は、サルの脱走を防ぐために、複雑な機構の錠前を使用したり施解錠の手順を複雑化したりすると、それぞれのサル飼育ケージの解錠に時間がかかり日常の業務に支障が生じたりするおそれがあった点であり、本発明は錠前の機構を複雑化することなく簡易な構成により形成し、簡便な操作手順により錠前の施解錠が可能で、サルによって錠前が解錠されることのない施錠機構を提供することを目的とする。
【課題を解決するための手段】
【０００９】
上記課題を解決するために、請求項１記載のごとく、開口部を備えてサルを収容可能な格子構成のケージ本体と、
このケージ本体の開口部を開閉するスライド可能な扉部材とを有するサル飼育ケージにおいて、
前記扉部材に上下方向に揺動可能に軸支する支持アームと、
前記ケージ本体に取付け上下方向の閂受け孔を有する係止部材と、
支持アームに対し下向きに突設し、前記閂受け孔に上から差し込んで扉部材を施錠状態に保ち、あるいは、閂受け孔から上に抜き取って扉部材を解錠状態にする上下方向に回動可能な閂部材と、
自重により揺動動作して前記閂部材を施錠状態の下限位置に規制する揺動ストッパと、より施錠機構を構成し、
上記揺動ストッパを上方に揺動し且つ閂部材を解錠状態の上限位置に回動して扉部材を開放したり、揺動ストッパを自重で下垂し閂部材を下限位置に規制して扉部材を閉鎖状態に拘束したりすることを特徴とする施錠機構付きサル飼育ケージを提供する。
【００１０】
請求項２記載のごとく、前記扉部材の閉鎖側とは反対側に連結具を横向きに突設し、
この連結具に前記支持アームの基端を軸支して、
扉部材を完全に開放した状態で支持アームの基端を前記施錠機構の外側に位置させることを特徴とする施錠機構付きサル飼育ケージを提供する。
【発明の効果】
【００１１】
請求項１記載のごとく、下限位置で扉部材を施錠状態に保つ閂部材を揺動ストッパにより動作規制し、この揺動ストッパを上方に揺動操作して規制を外し、その状態を保持した上で閂部材を上限位置に回動させて、この閂部材と関わる扉部材の開閉動作を可能としたことにより、解錠の際に揺動ストッパと閂部材とについて所定の手順による両手の協調操作が必要になるため、ケージ本体の格子構成により、被収容側の開放性を確保するとともに、両手の協調操作を規制してケージ本体内からの解錠を阻止しつつ、合鍵等の特段の解錠部材を要することなく、閂部材と揺動ストッパとによる簡易な構成により、簡易、かつ、確実に施錠制御することができる。
【００１２】
請求項２記載のごとく、扉部材の閉鎖側とは反対側に連結具を横向きに突設し、
この連結具に前記支持アームの基端を軸支して、
扉部材を完全に開放した状態で支持アームの基端を前記施錠機構の外側に位置させる構成したことにより、スライドストロークに伴って突出する支持アームを邪魔にならないように、上または下に折りたたんで扉部材をその位置に保持することができる。
【発明を実施するための最良の形態】
【００１３】
以下、図１乃至図６を参照して本発明に係る施錠機構付きサル飼育ケージについて説明する。図１は、本発明に係る施錠機構付きサル飼育ケージの全体側面図である。
【００１４】
施錠機構付きサル飼育ケージ１（以下「飼育ケージ１」と言う。）は、ケージ本体１０の側面の背面側に開口部１１を形成し、ここにスライド式の側面扉２を、飼育ケージ１の側面に沿って進退可能に取り付ける。この側面扉２の下部正面側には連結具２０を設け、これに長穴３１を介して長板状の支持アーム３の一端を揺動可能に軸支する。
この支持アーム３の他端側には引手部３０を形成し、この引手部３０を含む他端側を飼育ケージ１の正面に突出する。この引手部３０により支持アーム３を進退操作して側面扉２を開閉する。
【００１５】
支持アーム３の正面側下面に閂部材４１を突設する。この閂部材４１は、支持アーム３の揺動動作の妨げとならないようにわずかに斜めに傾けて取り付けられている。また、ケージ本体１０の側面に係止部材４０を取り付け、この係止部材４０に閂部材４１を受ける閂受け穴４２を形成する。
そして、この閂受け穴４２に閂部材４１を差し込んで嵌合拘束することにより、支持アーム３を介して側面扉２を施錠状態に保つ。
【００１６】
図２に、施錠機構４の要部を飼育ケージ１の正面側から見た拡大図を示す。
【００１７】
施錠機構４は、閂部材４１を嵌合拘束する係止部材４０と揺動ストッパ４３とにより構成されている。係止部材４０は、凸状に折り曲げた長板材をケージ本体１０の側面に縦向きに取り付けて枠状に形成し、その下面部分に閂受け穴４２を設ける。
そして、支持アーム３をこの係止部材４０の枠内に挿通して、閂部材４１を閂受け穴４２に差し込む。
【００１８】
また、揺動ストッパ４３を係止部材４０の枠内上部に軸支する。この揺動ストッパ４３は自重により揺動動作し、通常時は下垂して、閂部材４１を下限位置に規制する干渉位置にある。
したがって、この状態で支持アーム３を持ち上げても、支持アーム３が揺動ストッパ４３の下端に当接して、閂部材４１を閂受け穴４２から抜くことができない。
【００１９】
次に、本発明に係る施錠機構４の解錠手順について説明する。
図３はそれぞれ、（ａ）解錠状態、及び（ｂ）側面扉２の開放途中状態を示す飼育ケージ１の部分側面作用図である。
【００２０】
まず、揺動ストッパ４３を回動操作し、手前または奥に向かって持ち上げて閂部材４１の下限位置規制を解除する。次に、この状態を保持したままで支持アーム３を持ち上げ、閂部材４１を閂受け穴４２から抜いて上限位置までスライドさせる（図３（ａ）参照）。そして、引手部３０をもって支持アーム３を引き、側面扉２を開放する（図３（ｂ）参照）。
【００２１】
側面扉２を完全に開放した状態では、図４に示すように、支持アーム３を折り曲げ、側面扉２の正面側上部に設けられた固定具２１に引手部を係合して支持アーム３を固定し、側面扉２の開放状態を保持可能に構成されている。
また、支持アーム３を下方に折り曲げて下垂させておくだけでも枠状の係止部材４０に支持アーム３が係止され、側面扉２を開放位置に保持しておくことができる。
【００２２】
本発明に係る施錠機構４は、閂部材と揺動ストッパとによる簡易な構成により、サルが長期にわたって可動部分をいじっても摩耗や破壊によって使用できなくなるおそれが少なく、さらに、解錠の際には両手の協調操作が必要になるため、ケージ本体の格子構成により両手を同時に使えないサルには解錠することができない。
【００２３】
また、この施錠機構４は狭い空間内に配置されていても簡易な操作で解錠することが可能で、特に、本実施形態の飼育ケージ１は、ケージ本体１０の背面側に取り付けた側面扉２を正面側から支持アーム３を介した遠隔操作によって開閉することができ、図８に示したように、多数の飼育ケージ１を懸架具１２によって壁面等に並べて取り付け、各飼育ケージ１、１・・・の間にはわずかな隙間しかない状態でも背面側にある側面扉２を簡便に開閉可能で、さらに、側面扉２の開閉に伴って突出する支持アーム３を邪魔にならないように折りたたんで側面扉２をその位置に保持することができる。
【００２４】
次に、サル飼育ケージの参考例について説明する。図５は、飼育ケージの給餌器の付近を拡大して示す正面図であり、図６は給餌器の扉付近を示す側面図である。
【００２５】
本参考例の飼育ケージ１は、格子状の正面扉６の下部に給餌器５を備えている。給餌器５は、正面扉６に形成した開口６１を閉鎖する給餌口扉５０と、飼育ケージ１の内側に向かって突設した不図示の餌戴せ枠とにより構成される。
【００２６】
開口６１の左右には一対の支柱６２、６２が形成されている。この支柱６２、６２は正面扉６の縦格子部に沿って外側に張り出して設けられており、給餌口扉５０の左右両側縁の上下端に形成したリング部５１、５１にそれぞれ左右の支柱６２、６２を挿通して、この支柱６２、６２に沿って給餌口扉５０を上下にスライド動作可能に構成する。また、給餌口扉５０にはスライド操作用に取っ手５２が形成されている。
【００２７】
支柱１３の下端は係止部６３に形成され、これに給餌口扉５０を係止してその下限位置を規定する。この下限位置において、給餌口扉５０により開口６１を閉鎖する。
【００２８】
給餌口扉５０の直上には揺動ストッパ６０が取り付けられている。この揺動ストッパ６０は正面扉６の横格子部６４に軸支されて自重により揺動動作し、通常時は下垂して給餌口扉５０の上端に当接する。揺動ストッパ６０は、その下端に給餌口扉５０の上端と係合する凹部６０ａを有しており、この凹部６０ａにより給餌口扉５０を係合拘束して解錠操作を規制する。
また、揺動ストッパ６０を軸支する横格子部６４は、給餌口扉５０のスライド動作の妨げとならないように正面扉６の内側に取り付けられている。
【００２９】
上記のごとく形成した給餌器５は、揺動ストッパ６０を回動して給餌口扉５０との係合を解除し、この状態で給餌口扉５０をスライドして開放する。
【図面の簡単な説明】
【００３０】
【図１】本発明に係るサル飼育ケージの側面図である。
【図２】施錠機構の要部拡大図である。
【図３】施錠機構の解錠手順を示す作用図である。
【図４】サル飼育ケージの側面の扉を完全に開放した状態を示す側面図である。
【図５】サル飼育ケージの参考例を示す要部拡大正面図である。
【図６】サル飼育ケージの参考例を示す要部拡大側面図である。
【図７】従来のサル飼育ケージの一例を示す斜視図である。
【図８】従来のサル飼育ケージの実施態様の一例を示す正面図である。
【符号の説明】
【００３１】
１  サル飼育ケージ
１０  ケージ本体
１１  開口部
２  側面扉
３  支持アーム
４  施錠機構
４０  係止部材
４１  閂部材
４２  閂受け穴
４３  揺動ストッパ
５０  給餌口扉
５１  リング部
６  正面扉
６０  揺動ストッパ
６０ａ  凹部
６２  支柱
６３  係止部
【図１】
0004461093.tif 000002
【図２】
0004461093.tif 000003
【図３】
0004461093.tif 000004
【図４】
0004461093.tif 000005
【図５】
0004461093.tif 000006
【図６】
0004461093.tif 000007
【図７】
0004461093.tif 000008
【図８】
0004461093.tif 000009